【事件の表示】
　特願２００２−２７３６１５「塩素化塩化ビニル系樹脂組成物」拒絶査定不服審判事件〔平成１６年４月８日出願公開、特開２００４−１０７５３１〕について、次のとおり審決する。
【結　論】
　本件審判の請求は、成り立たない。
【理　由】
１．手続の経緯
　本願は、平成１４年９月１９日の特許出願であって、平成１９年８月１６日付けで拒絶理由が通知され、同年１０月２２日に意見書及び手続補正書が提出されたが、平成２０年３月１０日付けで拒絶をすべき旨の査定がされ、それに対して、同年４月４日に拒絶査定不服審判が請求され、同年４月２８日に手続補正書（方式）が提出されたものである。
　
２．本願発明
　本願の請求項１〜２に係る発明は、平成１９年１０月２２日付け手続補正書により補正された明細書（以下、「本願明細書」という。）の記載からみて、その特許請求の範囲の請求項１〜２に記載された事項により特定されるとおりのものと認められ、そのうち請求項１に係る発明（以下、「本願発明１」という。）は次のとおりのものである。
　
「塩素化塩化ビニル系樹脂１００重量部と、
（ａ）一般式（１）で表されるジアルキル錫ビス（メルカプト脂肪酸エステル）５〜５０重量％、
（ｂ）一般式（２）で表されるメルカプト脂肪酸エステル１０〜５０重量％及び（ｃ）一般式（１）で表されるジアルキル錫ビス（メルカプト脂肪酸エステル）に塩酸を加えて加熱処理し、得られた生成物から分離した油状物質３０〜７５重量％よりなる有機メルカプト系液状安定剤１〜７重量部と、
一般式（３）で表されるジアルキル錫マレートポリマー０．１〜０．８重量部を含有することを特徴とする塩素化塩化ビニル系樹脂組成物。
【化１】
　Ｒ1　　　Ｓ(ＣＨ2)mＣＯＯＲ3　
　　＼　 ／
　　　Ｓｎ　　　　　　　　　　　　　　　　　 （１）
　　／　 ＼
　Ｒ2　　　Ｓ(ＣＨ2)mＣＯＯＲ4　
（式中、Ｒ1，Ｒ2は炭素数１〜１６個のアルキル基、Ｒ3，Ｒ4は炭素数１〜１８個のアルキル基、ｎは１又は２を示す）
【化２】
　ＨＳ(ＣＨ2)nＣＯＯＲ5　　　　　　　　　　 （２）
（式中、Ｒ5は炭素数１〜１８個のアルキル基又は炭素数１〜５のアルコキシアルキル基、ｎは１又は２を示す）
【化３】
　−[(Ｒ6)2ＳｎＯＯＣＣＨ＝ＣＨＣＯＯ]p−　　（３）
（式中、Ｒ6は炭素数１〜１８個のアルキル基、ｐは２〜４の整数を示す）」
　
３．原査定の拒絶の理由
　これに対して、原査定において拒絶の理由とされた、平成１９年８月１６日付け拒絶理由通知書の理由１は次のとおりのものである。
　
「１．この出願の下記の請求項に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　
　　　　　記　　　（引用文献等については引用文献等一覧参照）
理由１．について
・請求項　　１
・引用文献　１−５
・請求項　　２
・引用文献　１−６
・備考
　引用文献１−４には、本願発明の(a)成分、ジアルキル錫マレートポリマーを含有する塩素化塩化ビニル系樹脂組成物についての記載があり、引用文献１には、組成物がさらに本願発明の(b)成分を含有する旨の記載がある（引用文献１：特許請求の範囲、２頁右上欄２行−５頁左下欄１５行、実施例、引用文献２：特許請求の範囲、【０００１】、【００１１】−【００３５】、実施例、引用文献３：特許請求の範囲、【０００１】、【０００６】−【０００９】、実施例、引用文献４：特許請求の範囲、【０００２】、【００１０】、【００１３】、【００１８】−【００３２】、実施例）。
　なお、引用文献１の「ジアルキル錫マレート」は、引用文献２、４の記載を参酌すると（引用文献２にはアルキル錫マレート化合物として、引用文献４にはアルキル錫マレート系安定剤として本願発明の「ジアルキル錫マレートポリマー」が記載されている）、本願発明の「ジアルキル錫マレートポリマー」に相当すると判断した。
　引用文献１−４に記載された発明は、熱安定性と着色性の改善を目的とするものであり、そして、例えば引用文献１，５に記載があるように（引用文献１：２頁右上欄１４行−同左下欄２行、引用文献５：特許請求の範囲）、着色性を改善するために本願発明の(b),(c)成分を用いることは周知の技術であること（なお、引用文献５の３頁右上欄１７行−同右下欄２行の記載から、この油状物質は(b)成分を含有すると判断した）、そして、熱安定性や着色性の改善を目的とする引用文献６に記載された発明において塩素化法として請求項２の方法が好ましい旨の記載があることから（【０００４】−【０００７】、【００３３】）、引用文献１−４に記載された発明において、該周知の技術を採用すること、請求項２で規定する方法で塩素化することは当業者が適宜なし得ることである。
　
　　　　　　　　　　　引　用　文　献　等　一　覧
１．特開平４−１９８３４８号公報
２．特開平１１−３１０６７９号公報
３．特開平６−２４００８０号公報
４．特開平８−２８３５１２号公報
５．特開昭６３−２４８８３８号公報
６．特開２０００−２７３１２１号公報」
　
４．当審の判断
（１）引用文献の記載事項
　上記引用文献１〜５には、以下の事項が記載されている。
　
（１−１）引用文献１について
摘示１−ａ．「１．塩素化塩化ビニル樹脂１００重量部に対して、
（ａ）一般式〔Ｉ〕、〔II〕及び〔III〕で表される化合物よりなる群から選ばれた一種以上のアルキル錫化合物０．０５〜５重量部と、
　　Ｒ2-Ｓｎ＝Ａ　………………………………〔Ｉ〕
　　Ｒ-ＳｎＡ1.5　………………………………〔II〕
　　　　Ｒm　　　Ｒm　
　　　　｜　　　 ｜
　　Ｂ-(ＳｎＺ)t-Ｓｎ-Ｂ ……………………〔III〕
　　　　｜　　　 ｜
　　　　Ｒ2-m　　Ｒ2-m　
（ｂ）一般式〔IV〕及び〔Ｖ〕で表される化合物よりなる群から選ばれた一種以上のハロゲン金属化合物０．０５〜５重量部、
　　　　Ｙs　
　　　　｜
　　Ｒr-ＳｎＸq　…………………………………〔IV〕
　　　　ＭＸ　　…………………………………〔Ｖ〕
とを含有していることを特徴とする塩素化塩化ビニル樹脂組成物。
（式中、Ｒは炭素数１〜１８のアルキル基を示し、Ａは硫黄、酸素、−Ｓ(ＣＨ2)nＣＯＯ−、−Ｓ(ＣＨ2)nＣＯＯ(ＣＨ2)pＯＯＣ(ＣＨ2)nＳ−、−Ｓ(ＣＨ2)nＯＯＣ(ＣＨ2)pＣＯＯ(ＣＨ2)nＳ−、−[Ｓ(ＣＨ2)nＣＯＯＲ1]2、−[Ｓ(ＣＨ2)nＯＯＣＲ1]2より選ばれた一種を示し、Ｂは−ＳＲ1−Ｓ(ＣＨ2)nＣＯＯＲ1、−Ｓ(ＣＨ2)nＯＯＣＲ1より選ばれた一種を示し、Ｚは硫黄、酸素、−Ｓ(ＣＨ2)nＣＯＯ−、−Ｓ(ＣＨ2)nＣＯＯ(ＣＨ2)pＯＯＣ(ＣＨ2)nＳ−、−Ｓ(ＣＨ2)nＯＯＣ(ＣＨ2)pＣＯＯ(ＣＨ2)nＳ−より選ばれた一種を示し、Ｘは塩素、臭素、ヨウ素より選ばれた一種を示し、Ｙは−Ｓ(ＣＨ2)nＣＯＯＲ1、−Ｓ(ＣＨ2)nＯＯＣＲ1より選ばれた一種を示し、Ｍは亜鉛、アルミニウム、鉄、アンチモン、チタン、ビスマス、マンガン、ガリウムより選ばれた一種を示す。そして、Ｒ1は炭素数１〜１８のアルキル基を示す。また、ｎは１又は２、ｐは１〜４の整数、ｍは１又は２、ｑは１〜３の整数、ｒは１又は２を、ｓは０、１又は２であって、ｑ＋ｒ＋ｓ＝４の関係にある。）
２．塩素化塩化ビニル樹脂１００重量部に対して、炭素数３〜１８の１級又は２級の飽和アルコール（ｃ）の一種以上を０．１〜５重量部含有することを特徴とする特許請求の範囲第１項記載の塩素化塩化ビニル樹脂組成物。
３．塩素化塩化ビニル樹脂１００重量部に対して、一般式〔VI〕及び〔VII〕で表される化合物（ｄ）よりなる群から選ばれた一種以上のメルカプトカルボン酸エステルを０．０５〜５重量部含有することを特徴とする特許請求の範囲第１項記載の塩素化塩化ビニル樹脂組成物。
　Ｒ2-[ＯＯＣ(ＣＨ2)nＳＨ]t　……………………〔VI〕
　Ｒ2-[ＣＯＯ(ＣＨ2)nＳＨ]t　……………………〔VII〕
（式中、Ｒ2は炭素、ＣＨ3Ｃ≡、炭素数１〜２２のアルキル又はアルキレンより選ばれた一種を示し、ｎは１又は２、ｔは１〜４の整数である。）」（特許請求の範囲請求項１〜３）
摘示１−ｂ．「〔従来の技術〕
　塩素化塩化ビニル樹脂（以下、ＣＰＶＣという）は、一般に塩化ビニル樹脂（以下、ＰＶＣという）を塩素化して製造されており、ＰＶＣの長所である難燃性、耐水性、耐薬品性、耐候性等の優れた特性を有している上、熱変形温度が２０〜４０℃向上しているという利点をもっている。
　従って、耐熱性の要求される用途への展開が期待されていたが、加熱溶融成形する際、黄色もしくは褐色に変色し易いため、電子部品ケース、表示板、銘板等のような無色透明性が要求される用途には使用できなかった。
　この初期着色性を改良するために、種々の提案がされており、例えば、特開昭６３−２４８８３８号公報には、有機錫ビス（メルカプトカルボン酸エステル）と塩酸との反応生成物からなる安定剤を添加した組成物が提案されている。
　しかし、この反応生成物からなる安定剤は初期の着色性を抑えるのにかなりの効果があるもののまだ不十分であり、また油状物質であるので安定な反応生成物を得るのは困難であった。」（2頁右上欄2行〜左下欄2行）
　
摘示１−ｃ．「〔発明が解決しようとする課題〕
　この発明は、上記の点に鑑み、初期着色性が低く、無色透明な成形品を溶融成形し得る塩素化塩化ビニル樹脂組成物を提供することを目的とする。」（2頁左下欄3〜6行）
　
摘示１−ｄ．「そして、この発明において、ＣＰＶＣに対する化合物（ａ）及び（ｂ）の配合割合については、アルキル錫化合物（ａ）及びハロゲン金属化合物（ｂ）の添加量が少ないと、初期着色性の低減効果が少なく、逆に多くなると耐熱性等の力学的特性の低下がみられるようになり、初期着色性効果もそれ以上向上しないので、ＣＰＶＣ１００重量部に対し、化合物（ａ）、（ｂ）ともそれぞれ０．０５〜５重量部が添加される。」（4頁右下欄14行〜5頁左上欄2行）
　
摘示１−ｅ．「なお、この塩素化塩化ビニル樹脂組成物の成形性、熱安定性等を向上させるために一般に使用されているポリエチレンワックス、高級アルコール、エステル系滑剤等の滑剤、ポリメチルメククリレート系加工助剤、ジアルキル錫マレート、前記した化合物（ａ）、（ｂ）、（ｃ）、（ｄ）以外のジアルキル錫メルカプト、モノアルキル錫メルカプト、金属石鹸、鉛化合物等の熱安定剤、酸化防止剤、紫外線吸収剤、炭酸カルシウム、ガラスファイバー等の充填剤、酸化チタン等の顔料、染料、可塑剤等が併用されてもよい。」（5頁右下欄5〜15行）
　
摘示１−ｆ．「〔発明の効果〕
　この発明の塩素化塩化ビニル樹脂組成物は、以上述べたとおりであり、初期着色性が低く、無色透明な成形品を溶融成形することができ、得られた成形品は、難燃性、耐水性、耐薬品性、耐熱性、耐候性等が優れており、耐熱性が要求される用途、例えば、電子部品ケース、表示板、銘板等の用途への展開が期待できる。
　発明２においては、前記１級又は２級の飽和アルコール（ｃ）を更に配合しているため、より一層、初期着色性が低くなり、かつ、無色透明な成形品を溶融成形することができる。
　また、発明３においても、前記メルカプトカルボン酸エステル（ｄ）を更に配合しているため、より一層、初期着色性が低くなり、かつ、無色透明な成形品を溶融成形することができる。」（9頁左上欄1〜16行）
　
（１−２）引用文献２について
摘示２−ａ．「塩素含有量が６４〜７２重量％の塩素化塩化ビニル系樹脂１００重量部、アルキル錫メルカプト化合物及びアルキル錫マレート化合物の混合物０．５〜２．５重量部ならびにステアリン酸０．１〜３重量部からなることを特徴とする塩素化塩化ビニル系樹脂組成物。」(特許請求の範囲請求項１) 
　
摘示２−ｂ．「【発明の属する技術分野】本発明は、耐衝撃性及び耐熱性に優れ、かつ熱安定性に優れた塩素化塩化ビニル系樹脂組成物に関する。」（段落0001）
　
摘示２−ｃ．「【発明が解決しようとする課題】本発明は、上記問題点を解決するためになされたものであり、その目的は、耐衝撃性、耐熱性に優れ、かつ熱安定性が良好なＣＰＶＣ組成物を提供することにある。」（段落0004）
　
摘示２−ｄ．「上記アルキル錫マレート化合物としては、具体的に、一般式（９）で表されるジアルキル錫ビス（マレイン酸アルキルエステル）塩、一般式（１０）で表されるビス（ジアルキル錫マレイン酸アルキルエステル）マレイン酸塩、一般式（１１）で表される繰り返し単位を有するジアルキル錫マレイン酸塩ポリマー等が挙げられる。
……
【化１１】
上記式（９）〜（１１）において、Ｒ18、Ｒ19は、独立して炭素数２〜２４のアルキル基を示す。
　上記アルキル錫メルカプト化合物及びアルキル錫マレート化合物においてアルキル錫メルカプト化合物単独では、必要な熱安定性を得るためには多量の添加が必要となりそのため耐熱性の低下が著しく、また、アルキル錫マレート化合物単独では成形性が悪くなるので、アルキル錫メルカプト化合物及びアルキル錫マレート化合物は併用して用いられる。
　上記アルキル錫メルカプト化合物及びアルキル錫マレート化合物の使用比率は特に限定されず、何れかが所定量添加されれば良い。その使用量は、少なくなると熱安定効果が低下し、多くなると耐熱性が著しく低下するので、ＣＰＶＣ１００重量部に対して、０．５〜２．５重量部に限定される。」（段落0028〜0034）
　
（１−３）引用文献３について
摘示３−ａ．「塩素含有樹脂１００重量部および衝撃強化剤１−２０重量部に対し、添加剤として、
（ａ）ジオクチル錫マレ−トポリマ−０．１−３重量部
（ｂ）有機錫メルカプチド０．１−３重量部及び
（ｃ）水酸基に隣接する片方の炭素原子にのみ第三級ブチル基が結合したフェノ−ル系酸化防止剤０．０１−１．５重量部
を含有することを特徴とする無毒性塩素含有樹脂組成物。」（特許請求の範囲請求項１）
　
摘示３−ｂ．「【産業上の利用分野】本発明は、無毒性の安定剤を使用した安全な塩素含有樹脂組成物に関する。詳しくは、本発明は、カレンダ−ロ−ル加工法によるシ−ト成型において初期着色性が少なく、しかも、柔軟温度の高い製品が得られる塩素含有樹脂組成物に関する。」（段落0001）
　
摘示３−ｃ．「【従来の技術】塩化ビニル樹脂の成型加工に関する従来の技術としては、初期着色性を改良するために、可塑剤を添加して加工温度を下げて成型したり、また、熱安定性を改良するために、エポキシ化大豆油を添加して成型が行われている。そして、塩化ビニル樹脂の成型加工を行う際の熱分解を防止する目的で、有機錫化合物と有機化合物を併用する発明（特公昭４５−３９１７６号、特公昭４９−１１２５８号）や有機錫マレ−ト化合物と有機錫メルカプチド化合物を併用する発明（特公昭５３−２００６０号）がすでに開示されている。」（段落0002）
　
摘示３−ｄ．「つぎに、本発明によって安定化される塩素含有樹脂としては、例えば、塩化ビニル樹脂や塩化ビニリデン樹脂の如きハロゲン化ビニル単独重合体、ハロゲン化ビニルを酢酸ビニル、エチレン、プロピレン、スチレン、イソプレン、塩化ビニリデン、無水マレイン酸、ブタジエン、メチルメタクリレ−ト、アクリロニトリル、ジアルキルマレ−トの如きコモノマ−の一種又は二種以上と共重合させることによって形成されるような共重合体、後塩素化塩化ビニル樹脂などが挙げられる。」（段落0006）
　
摘示３−ｅ．「そして、本発明の添加剤を構成するジオクチル錫マレ−トポリマ−は、一般式　[(Ｃ8Ｈ17)2ＳｎＯＯＣＣＨ＝ＣＨＣＯＯ−]n　（ｎ＝２−４）で表される無毒性の有機錫化合物である。」（段落0008）
　
摘示３−ｆ．「
実施例２
　塩化ビニル樹脂（Ｇｅｏｎ１０３ＥＰ−８　日本ゼオン社製）１００重量部、衝撃強化剤（カネエ−スＢ−５２　鐘淵化学社製）５重量部、衝撃強化剤（ソアブレンＣＨ　日本合成化学社製）５重量部、ジオクチル錫マレ−トポリマ−、有機錫メルカプチド安定剤Ａ−Ｆ、トリス（２−メチル−４−ヒドロキシ−５−ｔ−ブチルフェノ−ル）ブタン０．１重量部及び滑剤（ＷａｘＯＰ　ヘキスト社製）０．５重量部を配合して、温度１８０℃に保持した８インチ２本ロ−ルにて混練し、１０分間隔で厚さ０．５ｍｍのシ−ト片を取り出し、３０分間の初期着色性の評価を行った。評価は、全自動測色計カラ−エ−スＴＣ−Ｐ３（東京電色社製）にてＹＩ（イエロ−インデックス）を測定した。結果を第２表に示す。
【表２】
注１：ジメチル錫ビス（イソオクチルメルカプトアセテ−ト）
注２：モノメチル錫トリス（イソオクチルメルカプトアセテ−ト）
注３：ジオクチル錫ビス（２−エチルヘキシルメルカプトアセテ−ト）
注４：モノオクチル錫トリス（イソオクチルメルカプトアセテ−ト）
注５：ジオクチル錫ビス（Ｃ10−Ｃ16のアルキルメルカプトアセテ−ト）
注６：ジラウリル錫ビス（２−エチルヘキシルメルカプトアセテ−ト）」（段落0014）
　
（１−４）引用文献４について
摘示４−ａ．「【請求項１】塩化ビニル系樹脂１００重量部に対し、下記一般式（１）で示され、１５０℃−２時間後の加熱減量が１重量％未満であるアルキル錫メルカプト系安定剤０．３〜６重量部が含有されていることを特徴とする塩化ビニル系樹脂組成物。
【化１】
　　Ｒ1n−Ｓｎ−(ＳＣＨ2ＣＯＯＲ2)4-n　　　　　式（１）
（式中、Ｒ1及びＲ2は炭素数１〜２３の直鎖もしくは分岐アルキル基を表し、ｎは１もしくは２を表す）
【請求項２】塩化ビニル系樹脂１００重量部に対し、下記一般式（１）で示され、１５０℃−２時間後の加熱減量が１重量％未満であるアルキル錫メルカプト系安定剤０．３〜６重量部、及び、下記一般式（２）で示されるアルキル錫マレート系安定剤０．１〜６重量部が含有されていることを特徴とする塩化ビニル系樹脂組成物。
【化２】
　　Ｒ1n−Ｓｎ−(ＳＣＨ2ＣＯＯＲ2)4-n　　　　　式（１）
（式中、Ｒ1及びＲ2は炭素数１〜２３の直鎖もしくは分岐アルキル基を表し、ｎは１もしくは２を表す）
【化３】
　−(Ｒ32ＳｎＯＯＣＣＨ＝ＣＨＣＯＯ)n−　　　式（２）
（式中、Ｒ3は炭素数１〜２３の直鎖もしくは分岐アルキル基を表し、ｎは２〜１０の正の整数を表す）」（特許請求の範囲請求項１及び２）
　
摘示４−ｂ．「【発明が解決しようとする課題】本発明は、上記従来の問題点を解決するため、成形加工時の熱安定性に優れ、肉厚成形品においても肉内巣を発生し難い塩化ビニル系樹脂組成物を提供することを目的とする。」（段落0010）
　
摘示４−ｃ．「第１発明及び第２発明による塩化ビニル系樹脂組成物に主成分として用いられる塩化ビニル系樹脂としては、特に限定されるものではないが、塩化ビニルの単独重合体、塩化ビニルと該塩化ビニルと共重合可能な重合性単量体との共重合体、塩化ビニル以外の重合体もしくは共重合体に塩化ビニルをグラフトさせて得られるグラフト共重合体、及び、これらを後塩素化して得られる塩素化重合体もしくは共重合体等が挙げられ、これらの１種もしくは２種以上が好適に用いられる。」（段落0013）
　
摘示４−ｄ．「又、塩化ビニル系樹脂１００重量部に対するアルキル錫マレート系安定剤の含有量が０．１重量部未満であると、熱安定性が不充分となって成形加工性が低下し、逆に６重量部を超えると、得られる成形品の機械的物性が低下する。」（段落0032）
　
（１−５）引用文献５について
摘示５−ａ．「１．一般式
　　Ｒ1　　　Ｓ―Ｒ3―ＣＯＯＲ4　
　　　＼　 ／
　　　　Ｓｎ　　　　　　　　　　　　　（式１）
　　　／ 　＼
　　Ｒ2　　　Ｓ―Ｒ5―ＣＯＯＲ6　
で表される有機錫メルカプト化合物に塩酸を加えて加熱し、得られた生成物から油状物質を分離し、この油状物質を塩素化塩化ビニル樹脂に添加することを特徴とする、塩素化塩化ビニル樹脂の安定化方法。但し、式中で、Ｒ1及びＲ2は炭素数１〜８のアルキル基、Ｒ3及びＲ5はメチレン又はエチレン基、Ｒ4及びＲ6は炭素数１〜２０のアルキル基を表す。
２．有機錫メルカプト化合物と塩酸との割合が、前者１モルに対し後者０.３〜２モルであることを特徴とする、特許請求の範囲第１項に記載する方法。
３．加熱温度が１００ないし３００℃であることをを特徴とする、特許請求の範囲第１項又は第２項に記載する方法。
４．加熱時間が５分ないし１２０分であることを特徴とする、特許請求の範囲第１項ないし３項の何れかに記載する方法。」（特許請求の範囲請求項１〜４）
　
摘示５−ｂ．「（発明が解決しようとする問題点）
　この発明は、CPVCを成形のために加熱溶融したとき、初期着色がなくて、無色透明な成形体を生ずるように、CPVCを安定化する方法を提供しようとするものである。」（2頁右上欄12〜16行）（なお、「CPVC」とは、同文献1頁右下欄15〜16行に「塩素化塩化ビニル樹脂」を意味することが記載されている。）
　
摘示５−ｃ．「OTMと塩酸との混合物を加熱すると、OTMは、溶融性のものであつて水に溶解せず、しかも水より比重が小さいので、水相の上方に油状物質として液相を形成することとなる。また、OTMと塩酸との生成物も同様である。その生成物は、外見上はOTMと殆んど変わりがないが、ただこれをCPVCに添加したときCPVCを安定化させる効果の点でOTMと大きく異なつている。従つて、生成物は水相の上方に浮かんでいる油状物質として、容易に取得することができる。
　こうして取得された生成物がどのような分子構造を持つものかは、未だ明らかでない。しかし、この生成物は、
　　Ｒ1　　　Ｃl
　　　＼　 ／
　　　　Ｓｎ
　　　／ 　＼
　　Ｒ2　　　Ｓ―Ｒ5―ＣＯＯＲ6　
又は
　　Ｒ1　　　Ｓ―Ｒ3―ＣＯＯＲ4　
　　　＼　 ／
　　　　Ｓｎ
　　　／ 　＼
　　Ｒ2　　　Ｃl
と、
　　ＨＳ―Ｒ3―ＣＯＯＲ4　
又は
　　ＨＳ―Ｒ5―ＣＯＯＲ6　
等との混合物であろうと推定される。それは、薄層クロマトグラフにより、また赤外線吸収により確かめられたが、その他の点ではまだ確かめられていないので、確実とはいえない。
　この発明では、上記の生成物をCPVCに添加するが、その添加量はCPVC１００重量部に対し、０.５ないし５重量部とする。このような添加量に限定する理由は、生成物が０.５重量部以下では生成物添加の効果が充分に現われないからであり、生成物が５重量部以上では、これ以上増量しても増量しただけの効果が現われないからである。」（3頁右上欄７行〜右下欄6行）（なお、「OTM」とは、同文献2頁右下欄4〜5行に「式１の一般式で表わされる有機錫メルカプト化合物」を意味することが記載されている。）
　
摘示５−ｄ．「この発明方法を実施するに際しては、CPVCに上記生成物を添加する以外に、さらにPVCの加工に使用される各種の化学剤を添加することができる。例えば、滑剤、強化剤、加工助剤、酸化防止剤、可塑剤、安定剤等を添加することができる。安定剤としては、他の有機錫メルカプト化合物、有機錫マレート化合物、有機錫ラウレート化合物、バリウム−亜鉛系安定剤、カルシウム−亜鉛系安定剤等を添加することができる。」（4頁左上欄1〜9行）
　
（２）引用文献１に記載の発明 
　引用文献１には、特許請求の範囲請求項１及び３の記載からみて、
「塩素化塩化ビニル樹脂１００重量部に対して、
（ａ）一般式〔Ｉ〕、〔II〕及び〔III〕で表される化合物よりなる群から選ばれた一種以上のアルキル錫化合物０．０５〜５重量部と、
　　Ｒ2-Ｓｎ＝Ａ　………………………………〔Ｉ〕
　　Ｒ-ＳｎＡ1.5　………………………………〔II〕
　　　　Ｒm　　　Ｒm　
　　　　｜　　　 ｜
　　Ｂ-(ＳｎＺ)t-Ｓｎ-Ｂ ……………………〔III〕
　　　　｜　　　 ｜
　　　　Ｒ2-m　　Ｒ2-m　
（ｂ）一般式〔IV〕及び〔Ｖ〕で表される化合物よりなる群から選ばれた一種以上のハロゲン金属化合物０．０５〜５重量部、
　　　　Ｙs　
　　　　｜
　　Ｒr-ＳｎＸq　…………………………………〔IV〕
　　　　ＭＸ　　…………………………………〔Ｖ〕
とを含有していることを特徴とする塩素化塩化ビニル樹脂組成物。
（式中、Ｒは炭素数１〜１８のアルキル基を示し、Ａは硫黄、酸素、−Ｓ(ＣＨ2)nＣＯＯ−、−Ｓ(ＣＨ2)nＣＯＯ(ＣＨ2)pＯＯＣ(ＣＨ2)nＳ−、−Ｓ(ＣＨ2)nＯＯＣ(ＣＨ2)pＣＯＯ(ＣＨ2)nＳ−、−[Ｓ(ＣＨ2)nＣＯＯＲ1]2、−[Ｓ(ＣＨ2)nＯＯＣＲ1]2より選ばれた一種を示し、Ｂは−ＳＲ1−Ｓ(ＣＨ2)nＣＯＯＲ1、−Ｓ(ＣＨ2)nＯＯＣＲ1より選ばれた一種を示し、Ｚは硫黄、酸素、−Ｓ(ＣＨ2)nＣＯＯ−、−Ｓ(ＣＨ2)nＣＯＯ(ＣＨ2)pＯＯＣ(ＣＨ2)nＳ−、−Ｓ(ＣＨ2)nＯＯＣ(ＣＨ2)pＣＯＯ(ＣＨ2)nＳ−より選ばれた一種を示し、Ｘは塩素、臭素、ヨウ素より選ばれた一種を示し、Ｙは−Ｓ(ＣＨ2)nＣＯＯＲ1、−Ｓ(ＣＨ2)nＯＯＣＲ1より選ばれた一種を示し、Ｍは亜鉛、アルミニウム、鉄、アンチモン、チタン、ビスマス、マンガン、ガリウムより選ばれた一種を示す。そして、Ｒ1は炭素数１〜１８のアルキル基を示す。また、ｎは１又は２、ｐは１〜４の整数、ｍは１又は２、ｑは１〜３の整数、ｒは１又は２を、ｓは０、１又は２であって、ｑ＋ｒ＋ｓ＝４の関係にある。）
（ｄ）一般式〔VI〕及び〔VII〕で表される化合物よりなる群から選ばれた一種以上のメルカプトカルボン酸エステルを０．０５〜５重量部、
　Ｒ2-[ＯＯＣ(ＣＨ2)nＳＨ]t　……………………〔VI〕
　Ｒ2-[ＣＯＯ(ＣＨ2)nＳＨ]t　……………………〔VII〕
（式中、Ｒ2は炭素、ＣＨ3Ｃ≡、炭素数１〜２２のアルキル又はアルキレンより選ばれた一種を示し、ｎは１又は２、ｔは１〜４の整数である。）
とを含有することを特徴とする塩素化塩化ビニル樹脂組成物。」（摘示１−ａ）なる発明が記載されており、当該発明においては、初期着色性が低く、無色透明な成形品を溶融成形し得るものと認められる（摘示１−ｂ、１−ｆ）。
　そうすると、引用文献１には、初期着色性が低く、無色透明な成形品を溶融成形し得る塩素化塩化ビニル樹脂組成物を提供することを課題とする、以下の発明が記載されているものといえる。 
「塩素化塩化ビニル樹脂１００重量部に対して、
（ａ）一般式〔I〕のアルキル錫化合物０．０５〜５重量部と、
　　Ｒ2-Ｓｎ＝Ａ　………………………………〔Ｉ〕
（ｂ）一般式〔IV〕のハロゲン金属化合物０．０５〜５重量部、
　　　　Ｙs　
　　　　｜
　　Ｒr-ＳｎＸq　…………………………………〔IV〕
（式中、Ｒは炭素数１〜１８のアルキル基を示し、Ａは硫黄、酸素、−Ｓ(ＣＨ2)nＣＯＯ−、−Ｓ(ＣＨ2)nＣＯＯ(ＣＨ2)pＯＯＣ(ＣＨ2)nＳ−、−Ｓ(ＣＨ2)nＯＯＣ(ＣＨ2)pＣＯＯ(ＣＨ2)nＳ−、−[Ｓ(ＣＨ2)nＣＯＯＲ1]2、−[Ｓ(ＣＨ2)nＯＯＣＲ1]2より選ばれた一種を示し、Ｙは−Ｓ(ＣＨ2)nＣＯＯＲ1、−Ｓ(ＣＨ2)nＯＯＣＲ1より選ばれた一種を示す。そして、Ｒ1は炭素数１〜１８のアルキル基を示す。また、ｎは１又は２、ｑは１〜３の整数、ｒは１又は２を、ｓは０、１又は２であって、ｑ＋ｒ＋ｓ＝４の関係にある。）
（ｄ）一般式〔VI〕のメルカプトカルボン酸エステルを０．０５〜５重量部、
　Ｒ2-[ＯＯＣ(ＣＨ2)nＳＨ]t　……………………〔VI〕
（式中、Ｒ2は炭素、ＣＨ3Ｃ≡、炭素数１〜２２のアルキル又はアルキレンより選ばれた一種を示し、ｎは１又は２、ｔは１〜４の整数である。）
とを含有する塩素化塩化ビニル樹脂組成物。」（以下、「引用発明」という。）
　
（３）対比
　本願発明１と引用発明とを対比する。
　引用発明の「（ａ）一般式〔Ｉ〕のアルキル錫化合物」において、Ｒが炭素数１〜１６のアルキル基、Ａが＝−[Ｓ(ＣＨ2)nＣＯＯＲ1]2、ｎ＝１又は２である化合物（以下、「引用発明（ａ）化合物」という。）は、本願発明１の「（ａ）一般式（１）で表されるジアルキルビス（メルカプト脂肪酸エステル）（化学構造式省略）」（以下、「本願（ａ）化合物」という。）に相当する。
　また、引用発明の「（ｄ）一般式〔VI〕のメルカプトカルボン酸エステル」において、Ｒ2＝炭素数１〜１８のアルキル、ｎ＝１又は２、ｔ＝１である化合物（以下、「引用発明（ｄ）化合物」という。）は、本願発明１の「（ｂ）一般式（２）で表されるメルカプト脂肪酸エステル（化学構造式省略）」（以下、「本願（ｂ）化合物」という。）に相当する。
　そして、引用発明（ａ）化合物及び引用発明（ｄ）化合物は、摘示１−ｂおよび１−ｃの記載からみて、塩素化塩化ビニル樹脂の安定剤といえるものである。
　したがって、両者は、「塩素化塩化ビニル系樹脂と、本願（ａ）化合物及び本願（ｂ）化合物を含有する有機メルカプト安定剤とを含有する塩素化塩化ビニル系樹脂組成物。」である点で一致し、以下の相違点１〜５で一応相違するものと認められる。
　
相違点１：有機メルカプト安定剤について、本願発明１では液状と特定しているのに対し、引用発明ではかかる特定はなされていない点。
　
相違点２：有機メルカプト安定剤について、本願発明１では、「本願（ａ）化合物」が５〜５０重量％、「本願（ｂ）化合物」が１０〜５０重量％、「本願（ａ）化合物に塩酸を加えて加熱処理し、得られた生成物から分離した油状物質」（以下、「本願油状物質」という。）が３０〜７５重量％からなるものであるのに対し、引用発明では、引用発明（ａ）化合物及び引用発明（ｄ）化合物を含有するものである点。
　
相違点３：本願発明１では、有機メルカプト安定剤の配合量について、「塩素化塩化ビニル樹脂１００重量部に対して１〜７重量」と規定されているのに対し、引用発明においては、引用発明（ａ）化合物及び引用発明（ｄ）化合物が、それぞれ、塩素化塩化ビニル樹脂１００重量部に対して０．０５〜５重量部と規定されている点。
　
相違点４：本願発明１では、塩素化塩化ビニル系樹脂１００重量部に対して、「一般式（３）で表されるジアルキル錫マレートポリマー（化学構造式省略）」（以下、「本願マレート化合物」という。）を０．１〜０．８重量部を含有するのに対し、引用発明では、かかるマレート化合物の配合についての特定がない点。
　
相違点５：引用発明では、「（ｂ）一般式〔IV〕のハロゲン金属化合物（化学構造式及びその置換基についての定義は省略）」（以下、「引用発明ハロゲン金属化合物」という。）を塩素化塩化ビニル樹脂１００重量部に対して０．０５〜５重量部含むのに対し、本願発明１では、かかるハロゲン金属化合物の配合についての特定がない点。
　
（４）相違点に対する判断
（４−１）相違点１について
　引用発明（ａ）化合物、引用発明（ｄ）化合物は、それぞれ、本願（ａ）化合物、本願（ｂ）化合物に相当するものであるから、その物性も差異がないと解される。
　そして、本願明細書の段落0073の有機メルカプト液状安定剤の調整方法からみて、各安定剤成分は、それぞれ、液状と解するのが自然である。
　したがって、引用発明の有機メルカプト安定剤は、液状と認めるのが相当である。
　よって、相違点１は、実質的な相違点ではない。
　
（４−２）相違点２について
　引用文献１には、塩素化塩化ビニル樹脂組成物の成形性、熱安定性等を向上させるために一般に使用されている「ジアルキル錫マレート、前記した化合物（ａ）、（ｂ）、（ｃ）、（ｄ）以外のジアルキル錫メルカプト、モノアルキル錫メルカプト、金属石鹸、鉛化合物等の熱安定剤」を併用してもよいことが記載されている（摘示１−ｅ）。
　また、引用文献１には、従来技術として、加熱溶融成形する際の初期着色性を改良する安定剤として、特開昭６３−２４８８３８号公報（引用文献５）に記載された、有機錫ビス（メルカプトカルボン酸エステル）と塩酸との反応生成物からなる油状物質が使用されることが記載されている（摘示１−ｂ）。
　そして、引用文献５には、塩素化塩化ビニル樹脂の安定化方法として、かかる油状物質とともに、「他の有機メルカプト化合物、有機錫マレート化合物等の安定剤」を添加することができることが記載されている（摘示５−ａ〜５−ｄ）。
　そうであれば、引用発明の熱安定性の更なる改良等を意図して、一般に使用され、他の有機メルカプト化合物等と併用し得ることも知られている引用文献５に記載された油状物質を併用してみることは、当業者が適宜試みる事項にすぎないものと認められる。
　そして、その配合割合については、各成分の物性、目的とする性質・機能等を勘案して、当業者が適宜決定し得る事項にすぎない。
　また、その効果については、本願明細書には、その配合割合を規定することによる効果は明記されていないし、平成１９年１０月２２日付け意見書に添付された実験成績証明書を参酌しても、比較例６〜１１と実施例１〜７とは、その熱安定性、黄変度及び耐熱性において、それぞれ一長一短があって、これらを総合して勘案すれば、優劣は付けがたいものである。
　したがって、本願発明１の配合割合とすることにより、格別顕著な効果を奏するものとは認められない。
　
（４−３）相違点３について
　引用発明においては、引用発明（ａ）化合物及び引用発明（ｄ）化合物の配合量は、それぞれ、塩素化塩化ビニル樹脂１００重量部に対して０．０５〜５重量部であり、これらの配合量が少なすぎると初期着色性の低減効果が少なく、逆に多くなると耐熱性等の低下がみられることが記載されている（摘示１−ｄ）。
　一方、引用文献５には、油状物質の配合量は０．５ないし５重量部であり、少なすぎると添加効果が充分に現れないことが記載されている（摘示５−ｃ）。
　これらを併用するに際し、上記の各々の配合量を考慮して、本願発明１の有機メルカプト液状安定剤としての最適な配合量を決定することは、当業者が適宜決定し得る事項である。
　そして、本願明細書には、比較例として有機メルカプト液状安定剤の配合量が本願発明１の範囲外のものは記載されていないことから、当該範囲とすることによる格別顕著な効果を認めることはできない。
　
（４−４）相違点４について
　引用文献１には、塩素化塩化ビニル樹脂組成物の成形性、熱安定性等を向上させるために一般に使用されている「ジアルキル錫マレート、前記した化合物（ａ）、（ｂ）、（ｃ）、（ｄ）以外のジアルキル錫メルカプト、モノアルキル錫メルカプト、金属石鹸、鉛化合物等の熱安定剤」を併用してもよいことが記載されている（摘示１−ｅ）。
　そして、本願マレート化合物は、引用文献２〜４に記載されているように、塩素化塩化ビニル樹脂組成物の熱安定剤として、一般に使用されているものであり、その配合量についても通常用いられる範囲のものと認められる（摘示２−ａ〜２−ｄ、摘示３−ａ〜３−ｆ、摘示４−ａ〜４−ｃ）。
　したがって、引用発明に、本願マレート化合物を、塩素化塩化ビニル系樹脂１００重量部に対して０．１〜０．８重量部併用することは、当業者が適宜なし得る事項にすぎない。
　また、その効果（本願明細書段落0046）についても、引用文献２及び４には、アルキル錫マレート化合物の使用量が少なくなると熱安定性、成形加工性が低下することが記載されており（摘示２−ｄ、４−ｄ）、また、引用文献３の表２からは、ジオクチル錫マレートポリマーの使用量と着色度とは相関する傾向がうかがわれる（摘示３−ｆ）ことからみて、予測し得る範囲の効果にすぎない。
　
（４−５）相違点５について
　本願発明１は、「……を
含有する
　さらに、引用文献５には、本願油状物質には引用発明ハロゲン金属化合物に相当する化合物が含まれることが記載されている（摘示５−ｃ）ことからみても、本願発明１が引用発明ハロゲン金属化合物を特定量含有することを排除するものではないことは明らかである。
　したがって、相違点５は、実質的な相違点ではない。
　
（５）まとめ
　以上のとおりであるから、本願発明１は引用文献１〜５に記載された発明に基いて当業者が容易に発明をすることができたものである。
　
５．審判請求人の主張について
　審判請求人は、平成１９年１０月２２日付け意見書及び審判請求書の請求の理由において、次のように主張している。
「引用文献１では、従来技術において、本願発明の油状物質を塩素化塩化ビニル樹脂に添加しても初期の着色性を抑えるのに不充分であると共に油状物質であるので安定な反応生成物を得ることができないことを指摘し（第２頁右上欄第１９行〜左下欄第１行）、これを解決するために、ジアルキル錫ビス（メルカプト脂肪酸エステル）と所定構造を有するハロゲン金属化合物とを塩素化塩化ビニル樹脂に添加することを開示しております。
　してみれば、引用文献１は、従来技術において、本願発明の油状物質の存在を知りながら、この油状物質の問題点を指摘し、この問題点を回避するために油状物質を用いることことなく、所定構造を有するジアルキル錫ビス（メルカプト脂肪酸エステル）とハロゲン金属化合物とを併用していることに鑑みれば、ジアルキル錫ビス（メルカプト脂肪酸エステル）と油状物質とを併用することを引用文献１は開示或いは示唆していたと見ることはできず、油状物質であるので安定な反応生成物を得ることができないと指摘していることからすれば、むしろ、油状物質の使用を否定していると見るのが相当であり、引用文献１には、本願発明のジアルキル錫ビス（メルカプト脂肪酸エステル）と油状物質とを併用することに技術的阻害要因が含まれているものと思料致します。」、「引用文献１は、油状物質の存在を知りながらも、油状物質では初期の着色性以外の課題を解決することができないことから油状物質の使用を回避し、ハロゲン金属化合物を用いていることに鑑みれば、ジアルキル錫ビス（メルカプト脂肪酸エステル）と油状物質とを併用することを引用文献１が開示或いは示唆していたと見ることはできず、むしろ、本願発明の如く、塩素化塩化ビニル樹脂の初期の着色性、成形性の低下及び黒化を共に解決するにあたっては、油状物質の使用を否定しているとみるのが自然であります。」
　
　しかしながら、引用文献５には、「生成物は油状物質として容易に取得することができる。」（摘示５−ｃ）と記載されていること、及び、本願明細書の段落0037〜0040、0072に記載された本願油状物質の作製方法は引用文献５の摘示５−ａに記載されている方法と差異はないことに鑑みるに、油状物質の作製に格別な困難があるものとは認められない。
　さらに、上記４．（４）（４−２）でも述べたように、引用文献５には、塩素化塩化ビニル樹脂の安定化方法として、かかる油状物質とともに、「他の有機メルカプト化合物、有機錫マレート化合物等の安定剤」を併用することができることも明記されている（摘示５−ａ〜５−ｄ）。
　そうであるから、引用文献１の「油状物質であるので安定な反応生成物を得ることができない」との記載は、油状物質の使用に何らかの不都合があることを示すとしても、その使用を否定している、あるいは、ジアルキル錫ビス（メルカプト脂肪酸エステル）と油状物質とを併用することに技術的阻害要因があることを示すとまではいえない。
　したがって、上記審判請求人の主張は採用できない。
　
６．むすび
　以上のとおりであるから、本願発明１は、特許法第２９条第２項の規定により、特許を受けることができない。
　したがって、他の請求項に係る発明について検討するまでもなく、本願は原査定のとおり拒絶すべきものである。
　よって、結論のとおり審決する。